(57)【特許請求の範囲】
【請求項１】
アルミニウムにて形成され、スリットが設けられたチャンバーと、該チャンバー内に高圧空気を供給し得る高圧空気供給装置と、を有し、
前記二つのチャンバーが、そのチャンバーに設けられたスリットが内側へ向くように間隔をおいて設置され、該スリットが、被乾燥物の水平搬送方向へいくにつれて下り傾斜するよう形成され、
空気が該高圧空気供給装置からチャンバーへ送られ、該チャンバーの該スリットから温風が吹き出され、
両チャンバー間に搬送される上下及び前後方向に長い板状の被乾燥物の両側に該スリットから温風を吹き付け、被乾燥物に付着した液体を温風の吹き出し圧力で落下させる、温風吹き出し装置。
【請求項２】
スリットが設けられたチャンバーと、該チャンバー内に高圧空気を供給し得る高圧空気供給装置と、を有し、該チャンバーの少なくともスリットの開口縁がアルミニウムにて形成されている温風吹き出し装置であって、
前記二つのチャンバーが、そのチャンバーに設けられたスリットが内側へ向くように間隔をおいて設置され、該スリットが、被乾燥物の水平搬送方向へいくにつれて下り傾斜するよう形成され、
空気が該高圧空気供給装置からチャンバーへ送られ、該チャンバーの該スリットから温風が吹き出され、
両チャンバー間に搬送される上下及び前後方向に長い板状の被乾燥物の両側に該スリットから温風を吹き付け、被乾燥物に付着した液体を温風の吹き出し圧力で落下させる、温風吹き出し装置。
【発明の詳細な説明】
【０００１】
【発明の属する技術分野】
本発明は温風吹き出し装置に関し、詳しくはアルミニウムにて形成されるチャンバーへ室温（１０℃〜２５℃程度）の空気を供給して、４０℃以上の温風乃至熱風をチャンバーのスリットまたは空気吹き出し口から吹き出すことができる温風の吹き出し装置に関する。本発明の温風吹き出し装置は、例えば、種々物品の乾燥機として使用することができる。
【０００２】
【従来の技術】
従来の温風吹き出し装置としては、電気ヒータ等の熱源を通して室温の空気を吹き出すことにより、温風乃至熱風を吹き出すものが提案されている。例えば、実公昭６３−４０８７５号公報には、発熱線をケーシング内に配設し、ブロアーからの送風をこのケーシングに通過させることで温風を吹き出すようにしている。
【０００３】
しかし、従来の温風吹き出し装置にあっては、発熱線に電気を供給するための部材および発熱線を絶縁するための部材が必要となるので温風吹き出し装置の構造が複雑となり、また火災発生のおそれがあるという欠点がある。
【０００４】
また、特開昭５８−１６７７８４号公報、実開昭５７−１９３１９６号公報には、スリットが設けられた一対のチャンバーを間隙を介して配設し、両チャンバー間に形成される搬送路を被乾燥物が通過する際に、該スリットから温風を吹き出すことにより被乾燥物を乾燥する方法が提案されている。しかし、これらの方法においても、空気を加温するために熱源を使用しているために構造が複雑となり、コストが高くなるという欠点がある。
【０００５】
【発明が解決しようとする課題】
本発明は、上記欠点を解消するためになされたものであり、その目的とするところは、構造が比較的簡単であって作製コストを低減でき、また火災発生のおそれのない温風吹き出し装置を提供することにある。
【０００６】
【課題を解決するための手段】
本発明の温風吹き出し装置は、アルミニウムにて形成され、スリットが設けられたチャンバーと、該チャンバー内に高圧空気を供給し得る高圧空気供給装置と、を有し、前記二つのチャンバーが、そのチャンバーに設けられたスリットが内側へ向くように間隔をおいて設置され、該スリットが、被乾燥物の水平搬送方向へいくにつれて下り傾斜するよう形成され、空気が該高圧空気供給装置からチャンバーへ送られ、該チャンバーの該スリットから温風が吹き出され、両チャンバー間に搬送される上下及び前後方向に長い板状の被乾燥物の両側に該スリットから温風を吹き付け、被乾燥物に付着した液体を温風の吹き出し圧力で落下させるものであり、そのことにより上記目的が達成される。
【０００７】
本発明の他の温風吹き出し装置は、スリットが設けられたチャンバーと、該チャンバー内に高圧空気を供給し得る高圧空気供給装置と、を有し、該チャンバーの少なくともスリットの開口縁がアルミニウムにて形成されている温風吹き出し装置であって、前記二つのチャンバーが、そのチャンバーに設けられたスリットが内側へ向くように間隔をおいて設置され、該スリットが、被乾燥物の水平搬送方向へいくにつれて下り傾斜するよう形成され、空気が該高圧空気供給装置からチャンバーへ送られ、該チャンバーの該スリットから温風が吹き出され、両チャンバー間に搬送される上下及び前後方向に長い板状の被乾燥物の両側に該スリットから温風を吹き付け、被乾燥物に付着した液体を温風の吹き出し圧力で落下させるものであり、そのことにより上記目的が達成される。
【００１０】
【発明の実施の形態】
本発明の温風吹き出し装置に使用されるチャンバー１の形状は種々のものが可能である。例えば、図１に示すように密閉な箱状に形成してもよく、図２に示すように密閉な筒状に形成してもよい。その一面にはスリット２が形成されている。該スリット２の幅および長さは目的に応じて変形可能であり、例えば、スリット２の幅は０．５〜３ｍｍとすることができ、好ましくは０．８〜１．５ｍｍである。スリット２の長さは１０ｃｍ〜１００ｃｍ程度とすることができる。スリット２の形状は、このスリット２から吹き出される温風の温度に影響を与える。スリット２の幅を狭くするにつれて温風の温度は高くなる傾向にある。よって、スリット２の形状は、チャンバー１へ供給される空気の温度および所望とする温風の温度等によって決定される。スリット２はチャンバー１に複数本設けてもよく、あるいは傾斜して設けてもよい。
【００１１】
チャンバー１はその全体がアルミニウムにて形成されてもよく、あるいはそのスリット２部分のみがアルミニウムで形成されてもよい。さらにスリット２の開口縁にアルミニウム層が被覆されてもよい。
【００１２】
該チャンバー１内に高圧空気を供給し得る高圧空気供給装置３は、従来から公知のものを使用することができる。例えば、ポンプの駆動によって高圧空気を送ることができるブロアであり得る。チャンバー１とこの高圧空気供給装置３は送気管４で連結されている。図３に示すように、チャンバー１は複数設けてもよく、図５に示すように、高圧空気供給装置３に連結された連結管４が各チャンバー１に連結されてもよい。通常、該高圧空気供給装置３から送られる空気の流速は、２０ｍ／ｓ以上、特に２５ｍ／ｓ〜３０ｍ／ｓである。
【００１３】
次に、本発明の温風吹き出し装置の作用を説明する。
【００１４】
室温（１０℃〜２５℃）の空気が高圧空気供給装置３からチャンバー１内へ供給されると、チャンバー１のスリット２から吹き出される際の空気の温度が高くなる理由は次のように推定される。
【００１５】
空気はチャンバー１のスリット２から吹き出される際に、該空気は該スリット２の開口縁の表面に比較的高速で接触するために、該スリット２の開口縁の表面が高温となり、その結果４０℃以上、特に６０℃以上の温風がスリット２から吹き出されるものと思われる。チャンバー１が鉄製、ステンレススチール製、銅製のものでは上記のように吹き出される空気を加温する効果が生じない。また、スリット２の幅が広すぎる場合やスリットからの空気の吹き出し速度が遅い場合にも吹き出される空気の温度は低いものである。
【００１６】
また、図４および図５に示すように、一対のチャンバー１、１を各チャンバー１のスリット２が向き合うように対向させてもよく、このようにすることにより両チャンバー１、１間に形成される搬送路５に向かって温風が吹き出すために、板状の被乾燥物６をこの搬送路を通過させる際に両面側から被乾燥物６に向けて温風を吹き付け乾燥することができる。さらに、スリット２を鉛直に対して傾斜して設けることにより以下の利点がある。
【００１７】
すなわち、板状の被乾燥物６の側面にスリット２から温風を吹き当てて該被乾燥物６を乾燥させる場合、被乾燥物６の移動方向に対して直交する方向から、スリット２の形状に対応した形状の温風を該被乾燥物６に当てることで、温風の吹き出し圧力によって該被乾燥物６に付着した水等の液体を下方へ順次落下移動させて効率よく乾燥させることができる。
【００１８】
【実施例】
本発明の実施例を次に説明する。
【００１９】
図４および図５に示すように、長さ１０００ｍｍ、幅３００ｍｍ、高さ８００のアルミニウム製チャンバー１の側面に、幅０．８ｍｍ、長さ６００ｍｍのスリット２を設けた。ポンプ３を駆動させてチャンバー１に２５℃の空気を流速３０ｍ／ｓで送った。スリット２から吹き出される空気の温度は８０℃であった。この８０℃の温風で、水で処理された被乾燥物６を効率よく乾燥させることができた。
【００２０】
なお、本発明の温風吹き出し装置は、液体処理された被乾燥物の乾燥機として使用することができ、特に従来の電気ヒータを用いない乾燥機として使用することができる。また、チャンバー１に設けたスリット２に代えて、空気吹き出し口として小孔を多数形成してもよく、またアルミニウムにて形成される編み目を有する編み材等をチャンバー１の温風吹き出し側の面に設けてもよい。また、空気に代えてその他の気体（例えば、窒素）を使用することもできる。
【００２１】
【発明の効果】
本発明によれば、赤外線ヒータ等の熱源を使用しないで室温の空気をアルミニウム製チャンバーのスリットから吹き出すだけで温風として吹き出すことができる。従って、従来のような電気接続または絶縁のための部材を設ける必要がなく製作コストを低減でき、また火災発生の危険もない。
【００２２】
特に、一対のチャンバーを、そのチャンバーに設けたスリットが向かい合うように対向して設置し、スリットを傾斜して配置すると、被乾燥物の両側から温風を吹き付けて乾燥することができ、また被乾燥物に付着した水等の液体を温風の吹き出し圧力で落下させることができ、乾燥効率がよい。
【図面の簡単な説明】
【図１】本発明の温風吹き出し装置の一実施例を示す概略図である。
【図２】本発明の温風吹き出し装置の他の実施例を示す概略図である。
【図３】本発明の温風吹き出し装置のさらに他の実施例を示す概略図である。
【図４】本発明の温風吹き出し装置のさらに他の実施例を示す概略図である。
【図５】図４に示す温風吹き出し装置の概略平面図である。
【符号の説明】
１  チャンバー
２  スリット
３  高圧空気供給装置
４  連結管
５  搬送路
６  被乾燥物
【図１】
0003591797.tif 000002
【図２】
0003591797.tif 000003
【図３】
0003591797.tif 000004
【図４】
0003591797.tif 000005
【図５】
0003591797.tif 000006